(57)【要約】【課題】転倒に強いフラットパネルディスプレイ装置を提供する。【解決手段】ディスプレイ装置１００は、ディスプレイパネル１０と、ディスプレイパネル１０を収容している筐体１２と、ディスプレイパネル１０を筐体１２内の所定位置に保持する役割を担うシャーシ１４と、シャーシ１４を筐体１２に固定するための取り付け金具１６とを備えている。取り付け金具１６は、シャーシ１４が固定された第１固定部１６ａと、第１固定部１６ａよりも前方において筐体１２の前面部１２ｃに固定された第２固定部１６ｂと、第１固定部１６ａと第２固定部１６ｂとの間の中間部１６ｃとを含み、中間部１６ｃ、第１固定部１６ａと中間部１６ｃとの境界および第２固定部１６ｂと中間部１６ｃとの境界から選ばれる少なくとも１箇所が曲がることによって、第１固定部１６ａが第２固定部１６ｂに対して接近するように形成されている。【選択図】図１
2010097080.tif 000002
【特許請求の範囲】
【請求項１】
ディスプレイパネルと、
前記ディスプレイパネルに表示された画像を視認可能にするための開口が形成された前面部を含む筐体と、
前記ディスプレイパネルを後方側から支持するとともに、前記ディスプレイパネルを前記筐体内の所定位置に保持する役割を担うシャーシと、
前記シャーシを前記筐体に固定するための部材であって、前記シャーシの外周部が固定された第１固定部と、前記第１固定部よりも前方において前記筐体の前記前面部に固定された第２固定部と、前記第１固定部と前記第２固定部との間の中間部とを含み、前記中間部、前記第１固定部と前記中間部との境界および前記第２固定部と前記中間部との境界から選ばれる少なくとも１箇所が曲がることによって、前記第１固定部が前記第２固定部に対して接近するように形成された取り付け部材と、
を備えた、フラットパネルディスプレイ装置。
【請求項２】
前記中間部が予め曲がっている曲げ部分を含む、請求項１に記載のフラットパネルディスプレイ装置。
【請求項３】
前記曲げ部分が鋭角の曲げ角度を有する、請求項２に記載のフラットパネルディスプレイ装置。
【請求項４】
前記第１および第２固定部が、それぞれ、前記ディスプレイパネルに平行な板の形を有し、
前記第１固定部と前記第２固定部とが前後方向において向かい合っており、
前記第１固定部と前記中間部とのなす角度が鈍角、前記第２固定部と前記中間部とのなす角度が鋭角となるように、前記取り付け部材が予め曲がっている、請求項１に記載のフラットパネルディスプレイ装置。
【請求項５】
前記第１および第２固定部が、それぞれ、前記ディスプレイパネルに平行な板の形を有し、
前記第１固定部と前記第２固定部とが前後方向において向かい合っており、
前記第１固定部と前記中間部とのなす角度が鋭角、前記第２固定部と前記中間部とのなす角度が鈍角となるように、前記取り付け部材が予め曲がっている、請求項１に記載のフラットパネルディスプレイ装置。
【請求項６】
当該ディスプレイ装置の高さ方向または幅方向への前記第２固定部のスライドを許容する構造をさらに備えた、請求項１〜５のいずれか１項に記載のフラットパネルディスプレイ装置。
【請求項７】
前記構造が、前記取り付け部材の前記第２固定部と、前記第２固定部に形成された孔と、前記筐体の前記前面部に形成された孔と、前記孔に挿入されて前記取り付け部材の前記第２固定部と前記筐体の前記前面部とを締結しているネジ等の締結部材とによって構成され、
前記取り付け部材の前記第２固定部に形成された前記孔が、当該ディスプレイ装置の高さ方向または幅方向に関する寸法として、前記締結部材の前記軸部の外径よりも長い寸法を有し、
前記高さ方向または幅方向に関して、前記第２固定部に形成された前記孔における最も外側または最も内側に前記締結部材が位置している、請求項６に記載のフラットパネルディスプレイ装置。
【請求項８】
前記ディスプレイパネルが、前面ガラス基板と、背面ガラス基板と、前記前面ガラス基板と前記背面ガラス基板との間に形成された放電空間とを含むプラズマディスプレイパネルである、請求項１〜７のいずれか１項に記載のフラットパネルディスプレイ装置。
【発明の詳細な説明】
【技術分野】
【０００１】
本発明は、フラットパネルディスプレイ装置に関し、特に、転倒時におけるディスプレイパネルの破損を防止するのに有効な構造に関する。
【背景技術】
【０００２】
近年、プラズマディスプレイ装置等のフラットパネルディスプレイ装置が急速に普及しつつある（特許文献１）。
【０００３】
図１０は、フラットパネルディスプレイ装置の一種であるプラズマディスプレイ装置の外観を示している。図１１は、図１０のＹ−Ｙ断面を示している。ディスプレイ装置２００は、映像を表示するディスプレイパネル２１６、ディスプレイパネル２１６を収容している筐体２０１および筐体２０１の開口を閉じている前面保護ガラス２１０を備えている。筐体２０１は、背面筐体２０１ａと側面筐体２０１ｂとを含む。ディスプレイパネル２１６は、粘着シート２０５、シャーシ２０４および取り付け金具２１１を介して側面筐体２０１ｂに固定されている。前面保護ガラス２１０とディスプレイパネル２１６との間には、防塵スポンジ２０９が設けられている。
【特許文献１】特開２００４−２０６０７６号公報
【発明の開示】
【発明が解決しようとする課題】
【０００４】
フラットパネルディスプレイ装置は、ブラウン管ディスプレイ装置に比べて設置面積が小さいうえ重心も高いため、転倒しやすいという欠点がある。特に、前方に転倒した場合のダメージが大きくなりがちであり、ディスプレイパネルが破損することもある。
【０００５】
図１０および図１１を参照して説明したプラズマディスプレイ装置２００を例に挙げると、ディスプレイパネル２１６を支持しているシャーシ２０４が、取り付け金具２１１によって筐体２０１に強固に固定されている。そのため、転倒時の衝撃でシャーシ２０４が変形し、その変形によってディスプレイパネル２１６に大きい力が加わり、破損に至る。電源や制御回路等の重量物がシャーシ２０４の後方に配置されていることも、ディスプレイパネル２１６が破損する原因の一つである。
【０００６】
そこで本発明は、前方に転倒してもディスプレイパネルが破損しにくいフラットパネルディスプレイ装置を提供することを目的とする。
【課題を解決するための手段】
【０００７】
すなわち、本発明は、
ディスプレイパネルと、
前記ディスプレイパネルに表示された画像を視認可能にするための開口が形成された前面部を含む筐体と、
前記ディスプレイパネルを後方側から支持するとともに、前記ディスプレイパネルを前記筐体内の所定位置に保持する役割を担うシャーシと、
前記シャーシを前記筐体に固定するための部材であって、前記シャーシの外周部が固定された第１固定部と、前記第１固定部よりも前方において前記筐体の前記前面部に固定された第２固定部と、前記第１固定部と前記第２固定部との間の中間部とを含み、前記中間部、前記第１固定部と前記中間部との境界および前記第２固定部と前記中間部との境界から選ばれる少なくとも１箇所が曲がることによって、前記第１固定部が前記第２固定部に対して接近するように形成された取り付け部材と、
を備えた、フラットパネルディスプレイ装置を提供する。
【発明の効果】
【０００８】
上記本発明のディスプレイ装置によると、前方に転倒したとき、（i）中間部、（ii）第１固定部と中間部との境界および（iii）第２固定部と中間部との境界から選ばれる少なくとも１箇所で取り付け部材が曲がることによって、第１固定部が第２固定部に対して接近する。つまり、取り付け部材の特定の部分が優先的に曲がることによって、転倒の衝撃が吸収される。これにより、第１固定部に固定されたシャーシの変形を抑制できる。シャーシの変形を抑制することにより、ディスプレイパネルの破損を防止できる。
【発明を実施するための最良の形態】
【０００９】
以下、添付の図面を参照しつつ本発明の実施形態について説明する。
【００１０】
（第１実施形態）
図１は、本発明の第１実施形態にかかるフラットパネルディスプレイ装置の部分横断面図であり、背景技術の説明で参照した図１１と同様の断面図である。
【００１１】
ディスプレイ装置１００は、映像を表示するディスプレイパネル１０と、ディスプレイパネル１０を収容している筐体１２と、ディスプレイパネル１０を筐体１２内の所定位置に保持する役割を担うシャーシ１４と、シャーシ１４を筐体１２に固定するための部材である取り付け金具１６と、ディスプレイパネル１０の前方側に配置された前面保護ガラス１８とを備えている。ユーザは、前面保護ガラス１８を通じてディスプレイパネル１０に表示された映像を視認できる。
【００１２】
本明細書において「前方側」「後方側」「幅方向」「高さ方向」とは、ディスプレイ装置の一般的な方向の定義に従うものとする。つまり、画面のある側が「前方側」、これと反対側が「後方側」である。ディスプレイ装置の使用状態における水平方向が「幅方向」、幅方向および前後方向に垂直な方向が「高さ方向」である。
【００１３】
ディスプレイパネル１０は、前面ガラス基板６と、背面ガラス基板７と、前面ガラス基板６と背面ガラス基板７との間に形成された放電空間ＰＳとを含むプラズマディスプレイパネルでありうる。すなわち、本実施形態のディスプレイ装置１００は、プラズマディスプレイ装置である。プラズマディスプレイ装置には、ディスプレイパネルをシャーシで支持する構造が広く採用されているので、大きな設計変更を伴うことなく本発明を採用できる点で有効である。
【００１４】
背面ガラス基板７には、放電電極、誘電体および蛍光物質等の要素が設けられている。前面ガラス基板６には、対向電極等の要素が設けられている。前面ガラス基板６と背面ガラス７基板とは、互いに平行になるように組み合わされている。放電空間ＰＳには、ネオンガス等の不活性ガスが封入されている。放電空間ＰＳを囲むように、基板６および７の間に封止材８が充填されている。
【００１５】
なお、ディスプレイ装置の種類は特に限定されず、液晶ディスプレイ装置や電界放出ディスプレイ装置等の他のディスプレイ装置に本発明を適用してもよい。
【００１６】
ディスプレイパネル１０と前面保護ガラス１８との間には、緩衝材２０が設けられている。緩衝材２０は、衝撃吸収可能な材料、例えばゴムや発泡樹脂でできている。緩衝材２０により、ディスプレイパネル１０と前面保護ガラス１８とが直接接触して割れるのを防止できる。緩衝材２０は、ディスプレイパネル１０の周囲３６０°に設けられており、ディスプレイパネル１０と前面保護ガラス１８との間の空間への埃の侵入を阻止している。また、ディスプレイパネル１０とシャーシ１４との間には、両者を貼り合わせるための粘着シート（図示省略）が配置されている。
【００１７】
シャーシ１４、取り付け金具１６および筐体１２の材料は特に限定されない。シャーシ１４、取り付け金具１６および筐体１２の材料として、ステンレス、アルミニウム合金およびマグネシウム合金のような金属材料を用いることができる。放熱効果の高いアルミニウム合金は、シャーシ１４に適している。取り付け金具１６は、典型的には成形性に優れたステンレスで作られている。筐体１２には、軽量でありながら強度も高いマグネシウム合金が適している。筐体１２の一部または全部がＦＲＰ（fiber-reinforced plastic）のようなプラスチック材料で作られていてもよい。
【００１８】
筐体１２は、背面部１２ａ、側面部１２ｂおよび前面部１２ｃを含む。背面部１２ａが１つの部品で構成され、側面部１２ｂおよび前面部１２ｃが他の１つの部品で構成されている。前面部１２ｃには、ディスプレイパネル１０に表示された画像を視認可能にするための開口１２１が形成されている。側面部１２ｂは、前面部１２ｃから後方に向って延びている部分である。側面部１２ｂおよび前面部１２ｃを構成する部品は、枠の形を有する。開口１２１は、内側から前面保護ガラス１８で閉じられている。
【００１９】
シャーシ１４は、パネル支持部１４１および外周部１４７を含む。パネル支持部１４１は、ディスプレイパネル１０を後方側から支持している部分である。外周部１４７は、パネル支持部１４１の周縁から斜め前に向って延びている部分である。つまり、シャーシ１４は、前方側が凹状になるように形成されている。シャーシ１４の後方には、電源や制御回路等の重量物が配置されている（図示省略）。
【００２０】
図２に示すように、シャーシ１４のパネル支持部１４１は方形状である。破線で囲まれた領域１０ｅにディスプレイパネル１０が配置される。外周部１４７の長手方向に沿って、外周部１４７を取り付け金具１６にネジ止めするための複数のネジ孔１４ｈが形成されている。隣り合うネジ孔１４７ｈとネジ孔１４７ｈとの間隔は一定でもよいし、場所によって異なっていてもよい。シャーシ１４の四隅には、切り欠き１４ｃが形成されている。これらの切り欠き１４ｃに基づき、パネル支持部１４１の４辺のそれぞれに対応して、フラップの形をした外周部１４７が形成されている。
【００２１】
図１に示すように、取り付け金具１６は、ディスプレイパネル１０の周りに配置されており、シャーシ１４の４辺のそれぞれに対応して設けられているか、枠の形を有している。具体的に、取り付け金具１６は、シャーシ１４が固定された第１固定部１６ａと、第１固定部１６ａよりも前方において筐体１２に固定された第２固定部１６ｂと、第１固定部１６ａと第２固定部１６ｂとの間の中間部１６ｃとを含む。第１固定部１６ａと第２固定部１６ｂとが前後方向において向かい合っている。第１固定部１６ａには、シャーシ１４の外周部１４７がネジ２２で固定されている。同様に、取り付け金具１６の第２固定部１６ｂがネジ２４で筐体１２の前面部１２ｃに固定されている。本実施形態では、取り付け金具１６と筐体１２とのネジ止めが、第２固定部１６ｂと前面部１２ｃとのネジ止めに限定されている。
【００２２】
このような取り付け金具１６によると、中間部１６ｃが優先的に曲がることによって、第１固定部１６ａが第２固定部１６ｂに対して接近しうる。つまり、ディスプレイ装置１００が前方に転倒したとき、取り付け金具１６の中間部１６ｃが曲がって衝撃を吸収する。取り付け金具１６の第１固定部１６ａは、シャーシ１４が固定された状態で前方に変位する。この結果、シャーシ１４の変形（たわみ）が抑制され、ディスプレイパネル１０の破損を防止できる。
【００２３】
取り付け金具１６の第１固定部１６ａおよび第２固定部１６ｂは、それぞれ、ディスプレイパネル１０に平行な板の形を有している。取り付け金具１６の第２固定部１６ｂと筐体１２の前面部１２ｃとによって前面保護ガラス１８の外周部が挟まれている。ディスプレイパネル１０の４辺のいずれかに垂直な断面図（例えば図１）において、取り付け金具１６の中間部１６ｃはＶ字の形を示す。つまり、中間部１６ｃは、予め曲がっている曲げ部分１６１を含む。曲げ部分１６１は、中間部１６ｃが優先的に曲がるようにするための部分である。
【００２４】
正確には、取り付け金具１６は予め３箇所で曲がっている。まず、中間部１６ｃに含まれる曲げ部分１６１が鋭角の曲げ角度θ1を有する。次に、第１固定部１６ａと中間部１６ｃとのなす角度が鈍角、第２固定部１６ｂと中間部１６ｃとのなす角度が鈍角である。第１固定部１６ａと中間部１６ｃとのなす角度と、第２固定部１６ｂと中間部１６ｃとのなす角度とは、等しくてもよいし、異なっていてもよい。
【００２５】
このような取り付け金具１６によると、鋭角の曲げ角度θ1を有する曲げ部分が曲がりやすい。すなわち、ディスプレイ装置１００が転倒したとき、曲げ部分１６１の曲げ角度θ1が小さくなるように中間部１６ｃが曲がる（変形する）、または、曲げ部分１６１が尖るように中間部１６ｃが曲がる（変形する）。場合によっては、第１固定部１６ａと中間部１６ｃとの境界、および、第２固定部１６ｂと中間部１６ｃとの境界で変形が生じる。なお、「境界」とは、境界近傍を含む意味である。このことは、他の実施形態でも同様である。
【００２６】
なお、全ての曲げ箇所において、鋭角の曲げ角度を有する取り付け金具も採用しうる。例えば、図３に示す取り付け金具１９は、第１固定部１９ａと中間部１９ｃとのなす角度、および、第２固定部１９ｂと中間部１９ｃとのなす角度が鋭角である。さらに、中間部１９ｃ自身も鋭角に曲がっている（Ｖ字状に曲がっている）。このように、Σ状の断面を有する取り付け金具１９によっても、上述した効果と同じ効果が得られる。
【００２７】
図１には、シャーシ１４を取り付け金具１６に固定するネジ２２と、取り付け金具１６を筐体１２に固定するネジ２４とが示されているが、ネジの位置は組立を考慮して適宜変更してもよい。例えば、シャーシ１４と取り付け金具１６とのネジ止めの位置と、取り付け金具１６と筐体１２とのネジ止めの位置とが平面視で千鳥配置になっていると、ネジ止め作業が容易である。
【００２８】
（第２実施形態）
図４は、本発明の第２実施形態にかかるフラットパネルディスプレイ装置の部分横断面図である。本実施形態のディスプレイ装置１０２は、第１実施形態のものと異なる取り付け金具２６を備えている。同一の参照符号を用いている部分は共通である。
【００２９】
取り付け金具２６は、シャーシ１４が固定された第１固定部２６ａと、第１固定部２６ａよりも前方において筐体１２に固定された第２固定部２６ｂと、第１固定部２６ａと第２固定部２６ｂとの間の中間部２６ｃとを含む。第１固定部２６ａおよび第２固定部２６ｂが、それぞれ、ディスプレイパネル１０に平行な板の形を有する。取り付け金具２６は、第１固定部２６ａと中間部２６ｃとのなす角度θ2が鈍角、第２固定部２６ｂと中間部２６ｃとのなす角度θ3が鋭角となるように予め曲がっている。
【００３０】
このように、本実施形態では、取り付け金具２６が予め２箇所で曲がっている。この取り付け金具２６によると、第２固定部２６ｂと中間部２６ｃとの境界で曲がりやすい。場合によっては、中間部２６ｃ自体も曲がる。
【００３１】
ディスプレイ装置１０２は、さらに、高さ方向または幅方向（図１では幅方向）への第２固定部２６ｂのスライドを許容する構造３０（以下、スライド構造３０という）を備えている。
【００３２】
第１実施形態で説明した取り付け金具１６（図１参照）によると、中間部１６ｃのどの部分が曲がるのか必ずしも決まっていない。そのため、転倒時の衝撃を吸収してシャーシ１４の変形を抑制する効果は得られるものの、通常時でも取り付け金具１６がバネの役割を果たし、ディスプレイパネル１０の位置決めが不安定になる可能性がある。
【００３３】
これに対し、本実施形態では、取り付け金具２６の曲げ箇所を２箇所に制限して剛性を高めている。スライド構造３０を設けることによって、第２固定部２６ｂと中間部２６ｃとの境界で取り付け金具２６が曲がりやすくなっている。この結果、通常時におけるディスプレイパネル１０の位置決めの安定性が増すとともに、転倒時におけるシャーシ１４の変形を抑制する効果も確実に得られる。
【００３４】
スライド構造３０は、取り付け金具２６の第２固定部２６ｂと、第２固定部２６ｂに形成されたネジ孔２６ｈと、筐体１２の前面部１２ｃに形成されたネジ孔１２ｈと、これらネジ孔２６ｈ，１２ｈに挿入されて取り付け金具２６の第２固定部２６ｂと筐体１２の前面部１２ｃとを締結しているネジ２４とによって構成されている。ネジ２４に代えて、ボルト等の他の締結部材を用いてもよい。
【００３５】
筐体１２の前面部１２ｃに形成されたネジ孔１２ｈは、ネジ２４の軸部２４ｊの外径に等しい孔径を有する円孔である。一方、図６に示すように、取り付け金具２６の第２固定部２６ｂに形成されたネジ孔２６ｈは、ディスプレイ装置１０２の幅方向（または高さ方向）に関して、ネジ２４の軸部２４ｊの外径φよりも長い寸法Ｄ1を有する長孔である。つまり、ネジ孔２６ｈは、ディスプレイ装置１０２の幅方向（または高さ方向）に細長い形を有している。ネジ２４は、ネジ孔２６ｈにおける最も外側の位置で取り付け金具２６と筐体１２とを締結している。ネジ孔２６ｈ内をネジ２４が動くことによって、筐体１２の前面部１２ｃに対して取り付け金具２６の第２固定部２６ｂがスライドする。
【００３６】
筐体１２のネジ孔１２ｈの孔径は、ネジ２４の径φに等しいので、ネジ２４と筐体１２との位置関係は変化しない。これに対し、取り付け金具２６のネジ孔２６ｈは長孔であるから、図５および図６に示すように、ネジ２４がネジ孔２６ｈの中を移動することで、取り付け金具２６の第２固定部２６ｂが外側に向ってスライドする。緩衝材２０が縮み、第１固定部２６ａが第２固定部２６ｂに接近する。第１固定部２６ａと中間部２６ｃとのなす角度θ2が大きくなり、第２固定部２６ｂと中間部２６ｃとのなす角度θ3が小さくなるように、第２固定部２６ｂと中間部２６ｃとの境界で取り付け金具２６が曲がる。取り付け金具２６がこのように曲がることによって、シャーシ１４のパネル支持部１４１が変形するのを防止できる。
【００３７】
ネジ孔２６ｈの最も外側にネジ２４が位置することによって、通常時は取り付け金具２６が筐体１２にしっかりネジ止めされ、比較的強い衝撃が加わらない限り、第２固定部２６ｂがスライドせず、取り付け金具２６も曲がらない。ネジ止めによる拘束力を超える程大きい衝撃が加わったときだけ、スライド構造３０が有効に働く。このようなスライド構造３０は、ディスプレイパネル１０を挟む形で幅方向の両側にのみ設けられていてもよいし、高さ方向の両側にのみ設けられていてもよい。ディスプレイパネル１０の長手方向が幅方向に一致するので、幅方向の両側にスライド構造３０が設けられていると、シャーシ１４の変形（たわみ）を抑制する効果が高い。
【００３８】
また、ディスプレイパネル１０の４辺のそれぞれに対応してスライド構造３０が設けられていてもよい。そのようにすれば、ディスプレイパネル１０の４辺のそれぞれに対応して取り付け金具２６が均等に曲がり、シャーシ１４の変形（たわみ）を抑制する効果がさらに高まる。
【００３９】
ただし、本発明は、スライド構造３０が幅方向の一方の側にのみ設けられていたり、高さ方向の一方の側にのみ設けられていたりする態様を排除しない。例えば、図７に示すように、ディスプレイパネル１０を挟む形で幅方向の両側にスライド構造３０が設けられ、高さ方向に関する下側にのみスライド構造３０が設けられていてもよい。また、目的とする効果が得られるのであれば、スライド構造３０を構成するネジ孔の形も長孔に限定されない。図７の例では、外側に進むほど幅が狭くなっているネジ孔２６１ｈが、取り付け金具２６の第２固定部２６ｂに形成されている。ネジ孔２６１ｈは、平面視で略三角形の形をしている。ネジ２４の軸部２４ｊは、ネジ孔２６１ｈの最も外側に位置している。
【００４０】
図８に示すように、シャーシ１４は、取り付け金具２６によって筐体１２に固定されているほか、支柱４１０で支えられていることがある。支柱４１０は、ネジ等の締結部材によってシャーシ１４に締結されており、シャーシ１４の下部を後方側から支えている。ディスプレイ装置１０２が前方に転倒すると、支柱４１０の重みがシャーシ１４に直接加わる。そのため、シャーシ１４の下部は最も変形を起こしやすい部分である。図７を参照して説明したように、高さ方向に関する下側にスライド構造３０を設けると、支柱４１０の重みが加わることに基づくシャーシ１４の下部の変形をピンポイントで抑制でき、ディスプレイパネル１０の破損を防止する効果が非常に高い。
【００４１】
なお、本実施形態におけるスライド構造３０を第１実施形態のディスプレイ装置１００に設けてもよい。第１実施形態のディスプレイ装置１００にスライド構造３０を設けることにより、転倒時において、中間部１６ｃ（，１９ｃ）が優先的に曲がるようになる。
【００４２】
（第３実施形態）
図９は、本発明の第３実施形態にかかるフラットパネルディスプレイ装置の部分横断面図である。
【００４３】
ディスプレイ装置１０４は、第２実施形態のものと類似の取り付け金具３６を備えている。第１固定部３６ａと中間部３６ｃとのなす角度θ4が鋭角、第２固定部３６ｂと中間部３６ｃとのなす角度θ5が鈍角となるように、取り付け金具３６が２箇所で予め曲がっている。取り付け金具３６は、第１固定部３６ａと中間部３６ｃとの境界で曲がりやすい。場合によっては、中間部３６ｃ自体も曲がる。
【００４４】
ディスプレイ装置１０４は、さらに、第２実施形態のものと類似のスライド構造３１を備えている。スライド構造３１を設けることによって、第１固定部３６ａと中間部３６ｃとの境界で取り付け金具３６が曲がりやすくなる。この結果、通常時におけるディスプレイパネル１０の位置決めの安定性が増すとともに、転倒時におけるシャーシ１４の変形を抑制する効果も確実に得られる。
【００４５】
図９に示すスライド構造３１において、第２固定部３６ｂと筐体１２とを固定するためのネジ２４は、第２固定部３６ｂに形成されたネジ孔３６ｈの最も内側に位置している。簡単に言えば、第２実施形態と逆である。ネジ２４がネジ孔３６ｈの中を移動することで、取り付け金具３６の第２固定部３６ｂが内側に向ってスライドする。緩衝材２０が縮み、第１固定部３６ａが第２固定部３６ｂに接近する。第１固定部３６ａと中間部３６ｃとのなす角度θ4が小さくなり、第２固定部３６ｂと中間部３６ｃとのなす角度θ5が大きくなるように、第１固定部３６ａと中間部３６ｃとの境界で取り付け金具３６が曲がる。取り付け金具３６がこのように曲がることによって、シャーシ１４のパネル支持部１４１が変形するのを防止できる。
【図面の簡単な説明】
【００４６】
【図１】第１実施形態にかかるフラットパネルディスプレイ装置の部分横断面図
【図２】シャーシの平面図
【図３】変形例にかかる取り付け金具の横断面図
【図４】第２実施形態にかかるフラットパネルディスプレイ装置の部分横断面図
【図５】取り付け金具の曲げ状態を示す部分横断面図
【図６】スライド構造の作用説明図
【図７】スライド構造の配置を示す模式図
【図８】シャーシを支持する支柱を示す側面模式図
【図９】第３実施形態にかかるフラットパネルディスプレイ装置の部分横断面図
【図１０】フラットパネルディスプレイ装置の外観図
【図１１】図１０のＹ−Ｙ断面図
【符号の説明】
【００４７】
６  前面ガラス基板
７  背面ガラス基板
７ｐ  主面
１０  ディスプレイパネル
１２  筐体
１２ｃ  前面部
１４  シャーシ
１６，１９，２６，３６  取り付け金具
１６ａ，１９ａ，２６ａ，３６ａ  第１固定部
１６ｂ，１９ｂ，２６ｂ，３６ｂ  第２固定部
１６ｃ，１９ｃ，２６ｃ，３６ｃ  中間部
３０，３１  スライド構造
２６ｈ，２６１ｈ，３６ｈ  ネジ孔
１００，１０２，１０４  ディスプレイ装置
１２１  開口
ＰＳ  放電空間
【図１】
2010097080.tif 000003
【図２】
2010097080.tif 000004
【図３】
2010097080.tif 000005
【図４】
2010097080.tif 000006
【図５】
2010097080.tif 000007
【図６】
2010097080.tif 000008
【図７】
2010097080.tif 000009
【図８】
2010097080.tif 000010
【図９】
2010097080.tif 000011
【図１０】
2010097080.tif 000012
【図１１】
2010097080.tif 000013